(57)【要約】      （修正有）【課題】害虫の誘引能力および捕獲能力を向上させることができる捕虫器を提供する。【解決手段】捕虫器１００は、害虫を誘引する誘引光を発する誘引光発生部１１０と、害虫を捕獲する捕獲シート１４０を保持するシート保持体１３０とを備えている。誘引光発生部１１０は、紫外線領域の光を誘引光として発する蛍光灯からなる発光体１１３を備えている。シート保持体１３０は、害虫の駆除対象領域に対してシート保持体１３０の向きおよび位置を変更することができる支持アームを介して誘引光発生部１１０の両側方にそれぞれ支持されている。支持アームは、固定部１２１に対して第１関節１２２を介してアーム部１２３が連結されるとともに、このアーム部１２３に対して第２関節１２４を介してシート保持体１３０が連結されている。捕獲シート１４０は、粘着力によって害虫を捕獲する粘着面１４１を備えている。【選択図】図１
0003176254.tif 000002
【実用新案登録請求の範囲】
【請求項１】
害虫を誘引する誘引光を発する誘引光発生部と、
前記害虫を粘着面によって捕獲する捕獲シートを着脱自在に保持するシート保持体とを備えた捕虫器において、
前記シート保持体は、
前記害虫の駆除対象領域に向けて前記粘着面の向きおよび位置のうちの少なくとも一方を変更可能な状態で前記誘引光発生部の近傍に配置されていることを特徴とする捕虫器。
【請求項２】
請求項１に記載した捕虫器において、
前記捕獲シートは、
前記粘着面に前記誘引光によって蛍光発光する蛍光物質を含むことを特徴とする捕虫器。
【請求項３】
請求項１または請求項２に記載した捕虫器において、
前記シート保持体は、
前記捕獲シートにおける前記粘着面側に設けられて同捕獲シートの厚さ方向の変位を規制するための表面側規制体と、
前記捕獲シートにおける前記粘着面とは反対側の裏面側に設けられて同捕獲シートの前記厚さ方向の変位を規制するための裏面側規制体とを備え、
前記表面側規制体および前記裏面側規制体は、前記捕獲シートが前記厚さ方向に変位可能な間隔を介してそれぞれ配置されることを特徴とする捕虫器。
【請求項４】
請求項３に記載の捕虫器用シート保持体において、
前記表面側規制体と前記裏面側規制体との前記間隔は、前記捕獲シートの厚さの１.３倍以上に設定されていることを特徴とする捕虫器用シート保持体。
【請求項５】
請求項１ないし請求項４のうちのいずれか１つに記載した捕虫器において、
前記シート保持体は、
前記捕獲シートを曲面状または曲面状に変形可能な状態で保持することを特徴とする捕虫器。
【請求項６】
請求項１ないし請求項５のうちのいずれか１つに記載した捕虫器において、
前記誘引光発生部は、長尺状に延びて形成されており、
前記シート保持体は、前記誘引光発生部の両側に配置されて同誘引光発生部の長手方向に沿って延びて形成されていることを特徴とする捕虫器。
【請求項７】
請求項１ないし請求項６のうちのいずれか１つに記載した捕虫器において、さらに、
前記誘引光発生部から延びて前記シート保持体を同シート体の向きおよび位置のうちの少なくとも一方を変更可能に支持する支持アームを備えることを特徴とする捕虫器。
【請求項８】
請求項７に記載した捕虫器において、
前記支持アームは、前記シート保持体の向きおよび位置を変更するための関節を有することを特徴とする捕虫器。
【考案の詳細な説明】
【技術分野】
【０００１】
本考案は、光を用いて害虫を誘引して捕獲する捕虫器に関する。
【背景技術】
【０００２】
従来から、農作物の栽培地や飲食物の提供施設などにおいて害虫を駆除するために捕虫器が用いられている。捕虫器は、光や匂いによって害虫を誘引するとともに誘引した害虫を殺傷または捕獲する害虫駆除器具である。例えば、下記特許文献１には、害虫を誘引する光を発する蛍光灯の近傍に粘着力によって害虫を捕獲する捕獲シートを配置した捕虫器が開示されている。
【先行技術文献】
【特許文献】
【０００３】
【特許文献１】特開平０８−３３４４４号公報
【０００４】
しかしながら、このような捕虫器においては、害虫を誘引する誘引光を発する蛍光灯に対して捕獲シートの向きや位置が固定されているため、例えば、害虫を誘引する方向や捕獲可能な害虫が限定されて害虫の誘引能力および捕獲能力が低いという問題があった。
【０００５】
本考案は上記問題に対処するためなされたもので、その目的は、害虫の誘引能力および捕獲能力を向上させることができる捕虫器を提供することにある。
【考案の概要】
【０００６】
上記目的を達成するため、請求項１に係る本考案の特徴は、害虫を誘引する誘引光を発する誘引光発生部と、害虫を粘着面によって捕獲する捕獲シートを着脱自在に保持するシート保持体とを備えた捕虫器において、シート保持体は、害虫の駆除対象領域に向けて粘着面の向きおよび位置のうちの少なくとも一方を変更可能な状態で誘引光発生部の近傍に配置されていることにある。
【０００７】
このように構成した請求項１に係る本考案の特徴によれば、捕虫器は、害虫を粘着面によって捕獲する捕獲シートを保持するシート保持体が害虫を誘引する誘引光を発する誘引光発生部に対して向きおよび／または位置を変更可能に備えている。これにより、捕虫器は、害虫を駆除する環境（例えば、照度、温度、湿度、天気、季節など）や駆除対象となる害虫の種類や大きさに応じて捕獲シートの向きや位置を変更することができる。これにより、捕虫器は、害虫の誘引能力および捕獲能力を向上させることができる。
【０００８】
また、請求項２に係る本考案の他の特徴は、前記捕虫器において、捕獲シートは、粘着面に誘引光によって蛍光発光する蛍光物質を含むことにある。
【０００９】
このように構成した請求項２に係る本考案の他の特徴によれば、捕虫器のシート保持体に保持される捕獲シートは、誘引光が照射されることによって蛍光発光する蛍光物質を含んで構成されている。この場合、蛍光物質は、捕獲シートの粘着面を構成する粘着物質に混ぜて用いられる他、同粘着面の表面または内側に層状に設けられて用いられる。これにより、捕虫器は、誘引光発生部から発せられた誘引光によって捕獲シートの粘着面を蛍光発光させることができるため、直接害虫を捕獲シートに誘引して捕獲することができる。
【００１０】
また、請求項３に係る本考案の他の特徴は、前記捕虫器において、シート保持体は、捕獲シートにおける粘着面側に設けられて同捕獲シートの厚さ方向の変位を規制するための表面側規制体と、捕獲シートにおける粘着面とは反対側の裏面側に設けられて同捕獲シートの前記厚さ方向の変位を規制するための裏面側規制体とを備え、表面側規制体および裏面側規制体は、捕獲シートが前記厚さ方向に変位可能な間隔を介してそれぞれ配置されることにある。
【００１１】
この場合、本考案者の実験によれば、表面側規制体と裏面側規制体との間隔は、捕獲シートの厚さの１.３倍以上に設定されていることが好適である。
【００１２】
このように構成した請求項３に係る本考案の他の特徴によれば、捕虫器は、シート保持体が捕獲シートを捕獲シートの表裏面側にそれぞれ配置した表面側規制体と裏面側規制体とで保持する。この場合、表面側規制体と裏面側規制体とは、捕獲シートが厚さ方向に変位可能な隙間を介して配置される。すなわち、シート保持体は、捕獲シートを表面側規制体と裏面側規制体との間において厚さ方向に変位可能であるとともに同厚さ方向に弾性変形（撓み変形）が可能な所謂ガタや遊びを持って保持する。これにより、捕虫器は、害虫が粘着面に接触した際には捕獲シートが裏面側規制体側に押されて変位および／または変形するとともに、害虫が粘着面から離隔する方向に動いた場合には捕獲シートが害虫側（表面側規制体側）に変位および／または変形するため、害虫の動きに追従して精度よく貼り付かせることができる。
【００１３】
また、請求項５に係る本考案の他の特徴は、前記捕虫器において、シート保持体は、捕獲シートを曲面状または曲面状に変形可能な状態で保持することにある。
【００１４】
このように構成した請求項５に係る本考案の他の特徴によれば、捕虫器は、シート保持体が捕獲シートを曲面状または曲面状に変形可能な状態で保持する。この場合、捕虫器のシート保持具は、裏面側規制体が湾曲した形状に形成されているとよい。これにより、捕虫器は、シート保持具によって保持される捕獲シートが曲面を形成するように曲がって配置される、または害虫が接触した際には裏面側規制体に沿って曲面状に変形することができるため、捕獲シートが平面である場合に比べてより精度よく害虫を貼り付かせることができる。
【００１５】
また、請求項６に係る本考案の他の特徴は、前記捕虫器において、誘引光発生部は、長尺状に延びて形成されており、シート保持体は、誘引光発生部の両側に配置されて同誘引光発生部の長手方向に沿って延びて形成されていることにある。
【００１６】
このように構成した請求項６に係る本考案の他の特徴によれば、捕虫器は、誘引光発生部が長尺状に形成されるとともに、シート保持体が誘引光発生部の両側に配置されて同誘引光発生部の長手方向に沿って延びて形成されている。これにより、捕虫器は、長尺状に延びた誘引光発生部に沿って誘引光発生部の両側に設けられた２つのシート保持体にそれぞれ保持された２つの捕獲シートによって広範囲に害虫を誘引して捕獲することができる。
【００１７】
また、請求項７に係る本考案の他の特徴は、前記捕虫器において、さらに、誘引光発生部から延びてシート保持体を同シート体の向きおよび位置のうちの少なくとも一方を変更可能に支持する支持アームを備えることにある。
【００１８】
このように構成した請求項７に係る本考案の他の特徴によれば、捕虫器は、シート保持体が誘引光発生部から延びる支持アームを介して支持されている。すなわち、捕虫器は、誘引光発生部とシート保持体とが連結されて構成されているため、使用時や輸送時の取扱いが容易になるとともに構成を簡単化することができる。
【００１９】
また、請求項８に係る本考案の他の特徴は、前記捕虫器において、支持アームは、シート保持体の向きおよび位置を変更するための関節を有することにある。
【００２０】
このように構成した請求項８に係る本考案の他の特徴によれば、捕虫器は、支持アームがシート保持体の向きおよび位置を変更するための関節を備えて構成されている。このため、捕虫器は、支持アームの関節以外の部分でのシート保持体の向きや位置の変更を防止して精度よくシート保持体の向きおよび位置を固定することができ、害虫を精度よく誘引して捕獲することができる。
【図面の簡単な説明】
【００２１】
【図１】本考案の一実施形態に係る捕虫器の外観構成の概略を示した斜視図である。
【図２】図１に示す矢印の方向から見たシート保持体の概略を示した平面図である。
【図３】本考案の変形例に係るシート保持体の概略を示した平面図である。
【考案を実施するための形態】
【００２２】
以下、本考案に係る捕虫器の一実施形態について図面を参照しながら説明する。図１は、本考案に係る捕虫器１００の外観構成の概略を示した斜視図である。なお、本明細書において参照する各図は、本考案の理解を容易にするために一部の構成要素を誇張して表わすなど模式的に表している。このため、各構成要素間の寸法や比率などは異なっていることがある。この捕虫器１００は、光によってコナガ、ヨトウムシ、カメムシ、カナブンまたはハエなどの害虫を誘引して捕獲することによりこれらの害虫を駆除する器具である。
【００２３】
（捕虫器１００の構成）
捕虫器１００は、誘引光発生部１１０を備えている。誘引光発生部１１０は、この捕虫器１００の駆除対象である害虫を誘引するための光を発する光源を備えた照明器具であり、主として、本体部１１１と発光体１１３とで構成されている。本体部１１１は、誘引光発生部１１０の筐体を構成する箱状体であり、図示上下方向に延びる直方体状に形成されている。この本体部１１１は、箱状体の外表面上で長手方向に沿って発光体１１２を着脱自在に保持するとともに、箱状体の内部に発光体１１３を発光させるための図示しない電気回路を備えて構成されている。
【００２４】
また、この本体部１１１の側面には、発光体１１３への通電のＯＮ―ＯＦＦを切り替える電源スイッチ１１２が設けられている。すなわち、この本体部１１１は、図示しない外部電源（例えば、１００Ｖコンセント）に接続されて同外部電源から供給される電気によって発光体１１３を点灯および消灯させる。
【００２５】
発光体１１３は、害虫を誘引することができる波長の光を誘引光として発光する電気器具である。具体的には、発光体１１３は、害虫を誘引できる光の波長が概ね２５０ｎｍ〜６００ｎｍであることが一般に知られているため、駆除したい害虫の種類に応じて単一波長の光または互いに異なる波長の光を発する光源を適宜組み合わせて構成される。本実施形態においては、発光体１１３は、３５２ｎｍの近紫外線をピーク波長として発光する蛍光灯によって構成されている。
【００２６】
誘引光発生部１１０における長手方向に直交する両側方（図示左右方向）には、誘引光発生部１１０の長手方向に沿って２つのシート保持体１３０が支持アーム１２０を介して支持されている。支持アーム１２０は、誘引光発生部１１０の近傍である前記両側方位置でシート保持体１３０を可動的に支持するための部材であり、誘引光発生部１１０の本体部１１１から両側方側に延びて形成されている。この支持アーム１２０は、主として、１つの固定部１２１に対して、２つの第１関節１２２、２つのアーム部１２３および２つの第２関節１２４によって構成されている。
【００２７】
これらのうち、固定部１２１は、支持アーム１２０を誘引光発生部１１０の本体部１１１に固定するための部分であり、本体部１１１の背面に図示しないビスによって固定されている。この固定部１２１の両側方には、第１関節１２２をそれぞれ介してアーム部１２３がそれぞれ連結されている。第１関節１２２は、固定部１２１に対してアーム部１２３を回動自在に支持するとともに任意の回転位置で固定することができる連結部材である。この第１関節１２２は、操作子が有するネジを締めることによってアーム部１２３の回転変位が不能となるロック状態となるとともに、この操作子のネジを弛めることによってアーム部１２３のロック状態が解除されて回転変位可能な状態になる。
【００２８】
アーム部１２３は、シート保持体１３０を誘引光発生部１１０から離れた位置で支持するための棒状部材であり、一方の端部が前記第１関節１２２および固定部１２１を介して誘引光発生部１１０の本体部１１１に支持されるとともに、他方の端部が第２連結部材１２４を介してシート保持体１３０を支持する。第２関節１２４は、アーム部１２３に対してシート保持体１０２を回動自在に支持するとともに任意の回転位置で固定することができる連結部材である。この第２関節１２４は、操作子が有するネジを締めることによってシート保持体１３０の回転変位が不能となるロック状態となるとともに、この操作子のネジを弛めることによってシート保持体１３０のロック状態が解除されて回転変位可能な状態になる。
【００２９】
これらにより、支持アーム１２０は、シート保持体１３０を誘引光発生部１１０に対して任意の向きおよび位置に位置決めできるとともに、これらの位置決めした向きおよび位置に固定して保持することができる。そして、この支持アーム１２０は、誘引光発生部１１０の本体部１１１の背面に長手方向に沿って２つ設けられて本体部１１１の両側方側でそれぞれ１つずつのシート保持体１３０を支持している。
【００３０】
シート保持体１３０は、捕獲シート１４０を着脱自在に保持するための板状の部材であり、主として、互いに対向配置される裏面側規制体１３１と表面側規制体１３２とで構成されている。裏面側規制体１３１は、詳しくは図２に示すように、捕獲シート１４０の裏面側に配置される樹脂製の板状部材であり、誘引光発生部１１０の長手方向に沿って延びて形成されている。この裏面側規制体１３１は、表面側規制体１３２に対して凹状に凹んで形成されている。この場合、裏面側規制体１３１の凹み量は、撓んだ状態で収容される捕獲シート１４０が更に裏面側規制体１３１側に撓み変形可能な撓み代を確保できる量に設定されている。本実施形態においては、撓んだ状態で収容される捕獲シート１４０と裏面側規制体１３１との間の隙間Ｓ１が、捕獲シート１４０の厚さよりも若干厚い隙間に設定されている。
【００３１】
表面側規制体１３２は、捕獲シート１４０の表面側に配置される樹脂製の枠状部材であり、裏面側規制体１３１および捕獲シート１４０を保持可能な大きさの方形状に形成されている。この表面側規制体１３２は、周縁部の一部が支持アーム１２０の第２関節１２４に連結されて回動自在に支持されているとともに同周辺部の他の一部に嵌込部１３３を介して裏面側規制体１３１が連結されてこの裏面側規制体１３２を着脱自在に支持している。
【００３２】
また、表面側規制体１３２の表裏面のうち捕獲シート１４０に対向する裏面は、捕獲シート１４０を収納可能な大きさおよび形状で凹状に切り欠かれるとともに裏面側規制体１３１側に向かって突出した突起１３２ａが形成されている。この突起１３２ａは、裏面側規制体１３１と表面側規制体１３２との間に配置される捕獲シート１４０を裏面側規制体１３１側に押圧して捕獲シート１４０を曲面状に撓ませるための部分であり、表面側規制体１３２の裏面における前記切り欠かれた部分の幅方向の両側方部分にそれぞれ長尺上に設けられている。すなわち、裏面側規制体１３１と表面側規制体１３２との間には、捕獲シート１４０を湾曲させた状態でかつ更に湾曲変形可能な隙間Ｓ２を確保した大きさおよび形状の保持空間１３４が形成されている。
【００３３】
捕獲シート１４０は、誘引光発生部１１０から発せられた誘引光に誘引された害虫を捕獲するための粘着面１４１を有した可撓性を有するシート状部材であり、樹脂材を図示上下方向に延びる長方形状に形成して構成されている。粘着面１４１は、捕獲シート１４０における一方の面に接触した害虫を捕獲するための粘着力を発揮する粘着剤（例えば、ポリブテンなど）が塗布されて構成されている。この場合、粘着剤は、捕獲シート１４０の一方の面（表面側規制体１３２に対向する面）において縁部および表面側規制体１３２に対向する部分以外の部分に塗布されている。なお、この粘着面１４１が形成された捕獲シート１２０における一方の面が、捕獲シート１４０の表面を構成する。
【００３４】
また、捕獲シート１４０における前記表面は、同表面に誘引光発生部１１０から発せられた誘引光を受けて蛍光発光する蛍光物質（例えば、蛍光染料などの蛍光剤）が塗布されることにより蛍光面を構成している。本実施形態においては、蛍光面は、捕獲シート１４０の表面における粘着面１４１の下層に前記蛍光剤が塗布されて形成されている。この場合、捕獲シート１４０の粘着面１４１を含む表面が蛍光発色する色は、緑色、黄色、赤色、青色、橙色または白色およびこれらの中間色を採用することができる。なお、本考案者によれば、蛍光色としては黄緑色が他の色に比べて捕獲率が向上することを確認している。また、蛍光面は、捕獲シート１４０の表面に粘着剤を塗布する以外に、前記粘着剤に蛍光剤を混ぜたものを捕獲シート１４０の表面に塗布することによっても形成することができる。
【００３５】
（捕虫器１００の作動）
次に、このように構成された捕虫器１００の作動について説明する。まず、捕虫器１００を使用するユーザは、１つの捕虫器１００に対して２つの捕獲シート１４０を用意して各捕獲シート１４０を捕虫器１００における２つのシート保持体１３０にそれぞれセットする。具体的には、ユーザは、各捕獲シート１４０を各シート保持体１３０における裏面側規制体１３１と表面側規制体１３２との間に形成された保持空間１３４内に挿入する。この場合、ユーザは、捕獲シート１４０における粘着面１４１を表面側規制体１４２側に対向させる向きで保持空間１３４内に挿し込む。本実施形態においては、ユーザは、捕獲シート１４０を図示上方から挿し入れる。この場合、捕獲シート１４０は、粘着面１４１が形成された表面における縁部および表面側規制体１３２に対向した部分に粘着剤が塗布されていない。したがって、ユーザは、捕獲シート１４０における粘着剤が塗布されていない部分を把持することによって、容易に捕獲シート１４０をシート保持体１３０内にセットすることができる。そして、捕獲シート１４０は、保持空間１３４内において裏面側規制体１３１の湾曲形状および表面側規制体１３２の突起１３２ａによって裏面側規制体１３１の湾曲形状に沿って円弧状に撓み変形しながら挿し込まれる。
【００３６】
次に、ユーザは、捕虫器１００を害虫の駆除を望む場所に設置する。具体的には、ユーザは、害虫を駆除する領域内またはその周辺であって電源が確保できる場所に前記害虫を駆除する領域に向けて誘引光を照射可能な向きで捕虫器１００を設置する。この場合、ユーザは、既設されている柱状部材または新たに設けた柱状部材に誘引光発生部１１０の本体部１１１を固定した状態や、農業用ハウスなどの天井や梁から本体部１１１を固定的に下垂させた状態で捕虫器１００を設置することができる。なお、捕虫器１００を設置する際の姿勢は、誘引光発生部１１０の長手方向が垂直方向に平行になるように配置してもよいし、同長手方向が水平方向に平行になるように配置してもよいし、同長手方向が垂直方向および水平方向に対してそれぞれ傾斜するように配置することもできる。
【００３７】
次に、ユーザは、捕虫器１００の使用を開始する。具体的には、ユーザは、捕虫器１００の電源スイッチ１１２をＯＮにして発光体１１３から誘引光を照射させた後、シート保持体１３０を操作することによって捕獲シート１４０の向きおよび位置を調整する。この場合、ユーザは、支持アーム１２０における第１関節１２２および第２関節１２４の各操作子を回動操作することによってアーム部１２３およびシート保持体１３０の各ロック状態を解除する。これにより、捕虫器１００の支持アーム１２０は、アーム部１２３およびシート保持体１３０の向きおよび位置を自由に変更できる状態となる。したがって、ユーザは、シート保持体１３０を操作することによってシート保持体１３０の向きや位置を変化させることにより捕獲シート１４０の向きおよび位置を任意の向きおよび位置にそれぞれ位置決めすることができる。
【００３８】
そして、ユーザは、捕獲シート１４０の向きおよび位置を任意の向きおよび位置に位置決めした場合には、第１関節１２２および第２関節１２４の各操作子を回動操作することによってアーム部１２３およびシート保持体１３０をそれぞれ再びロック状態にすることにより捕獲シート１４０の向きおよび位置を固定することができる。これにより、ユーザは、捕虫器１００における捕獲シート１４０の向きおよび位置を害虫の駆除対象となる領域に向けた状態で捕虫器１００による害虫の誘引および捕獲を開始することができる。
【００３９】
誘引光発生部１１０の発光体１１３から放射された誘引光は、その一部が直接害虫の駆除領域に向けて照射されるとともに、他の一部がシート保持体１３０に保持された捕獲シート１４０に照射されて、一部が捕獲シート１４０に吸収されて蛍光発光するとともに他の一部が反射する。したがって、捕虫器１００は、誘引光発生部１１０から直接誘引光を放射するとともに捕獲シート１４０から蛍光および反射光からなる誘引光をそれぞれ害虫を駆除する領域に向けて照射する。
【００４０】
これにより、捕虫器１００には、前記誘引光が照射された領域から害虫が誘引される。すなわち、本考案に係る捕虫器１００においては、誘引光発生部１１０の周囲の一部に捕獲シート１４０が配置されているため、誘引光を照射した領域内の害虫を誘引することができるとともに、誘引光が遮られて照射されない領域、換言すれば、害虫の誘引を望まない領域からの害虫の誘引を防止することができる。また、捕虫器１００は、誘引光発生部１１０の両側方に２つのシート保持体１３０を介して２つの捕獲シート１４０を備えているため、各捕獲シート１４０をそれぞれ害虫を駆除する領域に向けて害虫の誘引および捕獲を行うことができる。
【００４１】
そして、捕虫器１００に誘引された害虫は、その一部が捕獲シート１４０の粘着面１４１に接触して捕獲される。この場合、捕獲シート１４０は、捕獲シート１４０の厚さ方向に変位／または弾性変形可能な状態で保持空間１３４内に保持されている。このため、捕獲シート１４０は、害虫が接触することにより厚さ方向、より具体的には、裏面側規制体１３１側に変位および／または変形するとともに、害虫が捕獲シート１４０から離隔する方向に動くことにより表面側規制体１３２側に変位および／または変形する。すなわち、捕獲シート１４０は、撓んだ状態において裏面側規制体１３２との間の少なくとも隙間Ｓ１の範囲内において害虫の動きに追従する追従代を持って保持空間１３４内に保持されているため、一旦粘着面１４１に付着した害虫が離脱し難くなる。これにより、捕獲シート１３０は、精度良く害虫を捕獲することができる。
【００４２】
この捕獲シート１４０による害虫の捕獲は、誘引光発生部１１０の発光体１１３が点灯している間積極的に行われる。この捕虫器１００による害虫の駆除中においては、捕獲シート１４０における表面側規制体１３２に対向する部分に粘着剤が塗布されていないため、捕獲シート１４０の表面側規制体１３２への貼り付きを防止することができる。これにより、捕虫器１００は、害虫の駆除中における捕獲シート１４０の前記変位および前記変形
可能な状態を良好に維持することができ、害虫の捕獲精度の低下を長期間に亘って防止することができる。
【００４３】
一方、ユーザは、捕虫器１００による害虫の駆除を終了する際には、電源スイッチ１１２をＯＦＦにすることにより捕虫器１００による害虫の駆除作業を終了することができる。この場合、ユーザは、支持アーム１２０の第１関節１２２および第２関節１２４のロック状態をそれぞれ解除することにより２つのシート保持体１３０を捕獲シート１４０が互いに向き合うように対向させて畳むことができる。これにより、捕虫器１００は、誘引光発生部１１０から誘引光を照射させない休止状態において捕獲シート１４０に虫、埃、水、ごみなどの異物が付着することを防止することができる。
【００４４】
また、捕獲シート１４０が害虫の捕獲容量に達した場合、または捕獲シート１４０の粘着面１４１の粘着力が低下した場合には、ユーザは、捕獲シート１４０の取り換え作業を行う。具体的には、ユーザは、裏面側規制体１３１と表面側規制体１３２との間に形成された保持空間１３４内から捕獲シート１４０を引き出す。この場合においても、ユーザは、捕獲シート１４０における粘着剤が塗布されていない部分を把持することによって、容易に捕獲シート１４０をシート保持体１３０内から抜き出すことができる。次いで、ユーザは、新たな捕獲シート１４０を用意した後、前記と同じ要領で新たな捕獲シート１４０を保持空間１３４内に挿し入れることにより捕獲シート１４０の取り換え作業を行うことができる。
【００４５】
上記作動説明からも理解できるように、上記実施形態によれば、捕虫器１００は、害虫を粘着面１４１によって捕獲する捕獲シート１４０を保持するシート保持体１３０が害虫を誘引する誘引光を発する誘引光発生部１１０に対して向きおよび／または位置を変更可能に備えている。これにより、捕虫器１００は、害虫を駆除する環境（例えば、照度、温度、湿度、天気、季節など）や駆除対象となる害虫の種類や大きさに応じて捕獲シート１４０の向きや位置を変更することができる。これにより、捕虫器１００は、害虫の誘引能力および捕獲能力を向上させることができる。
【００４６】
さらに、本考案の実施にあたっては、上記実施形態に限定されるものではなく、本考案の目的を逸脱しない限りにおいて種々の変更が可能である。なお、下記各変形例において、上記実施形態と同様の構成部分については同じ符号を付して、その説明を省略する。
【００４７】
例えば、上記実施形態においては、捕獲シート１４０を保持するシート保持体１３０は、支持アーム１２０によって向きおよび位置がそれぞれ変更可能に支持されている。具体的には、シート保持体１３０は、支持アーム１２０における第１関節１２２によって主として位置を変更することができるとともに第２関節１２４によって向きを変更することができる。しかし、捕虫器１００は、シート保持体１３０の向きおよび位置のうちの少なくとも一方を害虫の駆除対象領域に対して変更可能に構成されていればよい。したがって、捕虫器１００は、例えば、支持アーム１２０を第２関節１２４を省略して構成することによりシート保持体１３０の位置のみを変更するように構成することができるとともに、支持アーム１２０を第１関節１２２を省略して構成することによりシート保持体１３０の向きのみを変更するように構成することもできる。
【００４８】
また、上記実施形態においては、捕獲シート１４０は、粘着面１４１に蛍光物質を塗布することにより粘着面１４１が誘引光によって蛍光発光するように構成した。これにより、捕虫器１００は、駆除対象領域に生息する害虫を直接粘着面１４１に向けて誘引することができる。しかし、本考案に係る捕虫器１００は、捕獲シート１４０が少なくとも粘着面１４１を備えていれば、必ずしも蛍光面は必要ではない。
【００４９】
また、上記実施形態においては、シート保持体１３０は、湾曲した形状に弾性変形させた捕獲シート１４０を捕獲シート１４０の厚さ方向に変位および変形可能な隙間Ｓ１を備えた保持空間１３４を形成して構成した。すなわち、シート保持体１３０は、裏面側規制体１３１を湾曲した凹状の形状に形成するとともに表面側規制体１３２の裏面側を切り欠いて突起１３２ａを設けて構成した。しかし、捕獲シート１４０を厚さ方向に変位および／または変形可能に保持する形態は、上記実施形態に限定されるものではない。例えば、シート保持体１３０は、図３に示すように、裏面側規制体１３１と表面側規制体１３２とをそれぞれ互いに平行な平板状または曲面上に形成するとともに、これらの裏面側規制体１３１と表面側規制体１３２とを捕獲シート１４０が変位および／または変形可能な隙間Ｓ２を介して配置するようにしてもよい。この場合、裏面側規制体１３１と表面側規制体１３２との間の隙間Ｓ２は、捕獲シート１４０の厚さの１.３倍以上、より好ましくは２倍前後が好適である。これによっても、上記実施形態と同様の作用効果を期待することができる。
【００５０】
また、上記実施形態においては、シート保持体１３０は、捕獲シート１４０を厚さ方向に変位および変形可能な状態で保持した。しかし、本考案に係る捕虫器１００は、必ずしもシート保持体１３０が捕獲シート１４０を厚さ方向に変位および変形可能な状態で保持する必要はない。すなわち、本考案に係る捕虫器１００は、シート保持体１３０が捕獲シート１４０を厚さ方向に変位および変形することを規制して固定的に保持するようにしても実施可能である。
【００５１】
また、上記実施形態においては、シート保持体１３０は、捕獲シート１４０を曲面状に弾性変形させた状態で保持した。しかし、本考案に係る捕虫器１００は、必ずしもシート保持体１３０が捕獲シート１４０を曲面状に弾性変形させた状態で保持する必要はない。すなわち、本考案に係る捕虫器１００は、捕獲シート１４０を平板状に保持するようにシート保持体１３０を構成しても実施可能である（図３参照）。
【００５２】
また、上記実施形態においては、捕虫器１００は、誘引光発生部１１０の両側方にシート保持体１３０を備えて構成した。しかし、捕虫器１００が備えるシート保持体１３０の位置や数は、必ずしも上記実施形態に限定されるものではなく、３以上または１枚のシート保持体１３０を備えて構成することもできる。例えば、捕虫器１００は、上記実施形態におけるシート保持体１３０に代えてまたは加えて、誘引光発生部１１０の長手方向両端部側（図示上下方向両端部側）にそれぞれシート保持体１３０を備え構成することができるとともに、上記実施形態における２つのシート保持体１３０のうちの一方のシート保持体１３０のみで構成することもできる。
【００５３】
また、上記実施形態においては、支持アーム１２０は、１つの固定部１２１に対して１つのアーム部１２３と２つの関節部である第１関節１２２および第２関節１２４とで構成した。しかし、支持アーム１２０は、シート保持体１３０の向きおよび／または位置を変更できるように構成されていれば、必ずしも上記実施形態に限定されるものではない。例えば、支持アーム１２０は、１つの固定部１２１に対して２つ以上のアーム部１２３や１つまたは３つ以上の関節部を備えて構成されていてもよい。また、例えば、支持アーム１２０は、シート保持体１３０を支持する長尺のアーム部材が任意の位置で屈曲可能な所謂フレキシブルアームで構成されていてもよい。また、これらの場合、支持アーム１２０は、必ずしも誘引光発生部１１０に固定されている必要はなく、誘引光発生部１１０とは別の部材に支持されてまたは自立的にシート保持体１３０を支持するように構成することもできる。
【００５４】
また、上記実施形態においては、捕虫器１００は、誘引光発生部１１０の電源として１００Ｖの外部電源を用いた。しかし、誘引光発生部１１０の電源は、他の形式、例えば、太陽電池、充電式蓄電池または乾電池などを用いることもできる。
【００５５】
また、上記実施形態においては、捕虫器１００は、誘引光発生部１１０が紫外線領域の波長の誘引光を発するように構成した。しかし、誘引光発生部１１０は、害虫を誘引することができるように構成されていれば、必ずしも上記実施形態に限定されるものではない。例えば、誘引光発生部１１０は、上記実施形態における波長以外の紫外線領域の波長の光および紫外線領域以外の波長の光発する装置で構成することができる。
【００５６】
また、上記実施形態においては、捕獲シート１４０は、表面における縁部および表面側規制体１３２にそれぞれ対向する部分にそれぞれ粘着剤の塗布を行わないことにより、これらの部分に粘着面１４１を形成しない構成とした。しかし、本考案に係る捕虫器１００は、捕獲シート１４０の全面に粘着剤を塗布して粘着面１４１を形成することも可能である。また、捕虫器１００は、例えば、裏面側規制体１３１を捕獲シート１４０が露出するような枠状、格子状または網状などの開口部を有して構成することにより、捕獲シート１４０の表面に代えてまたは加えて裏面に粘着面１４１を形成して害虫を誘引および捕獲することもできる。
【符号の説明】
【００５７】
Ｓ１，Ｓ２…隙間、
１００…捕虫器、
１１０…誘引光発生部、１１１…本体部、１１２…電源スイッチ、１１３…発光体、
１２０…支持アーム、１２１…固定部、１２２…第１関節、１２３…アーム部、１２４…第２関節、
１３０…シート保持部、１３１…裏面側規制体、１３２…表面側規制体、１３２ａ…突起、１３３…嵌込部、１３４…保持空間、
１４０…捕獲シート、１４１…粘着面。
【図１】
0003176254.tif 000003
【図２】
0003176254.tif 000004
【図３】
0003176254.tif 000005
【手続補正書】
【提出日】平成24年3月29日(2012.3.29)
【手続補正１】
【補正対象書類名】実用新案登録請求の範囲
【補正対象項目名】請求項４
【補正方法】変更
【補正の内容】
【請求項４】
請求項３に記載の捕虫器において、
前記表面側規制体と前記裏面側規制体との前記間隔は、前記捕獲シートの厚さの１.３倍以上に設定されていることを特徴とする捕虫器。